(57)【要約】【課題】蓋部を片手の指先で簡単に開閉操作することができ、しかも耐久性に優れ、さらに錠剤等の粒状物の防湿性に優れると共に、これら粒状物を小出しするのが非常に簡単な携帯容器を提供する。【解決手段】蓋体１の両側面部１ａに設けた一対の枢支部３を、容器体２の両側面２ａに設けた一対の枢支部７に枢支すると共に、前記蓋体１の上部前面部１ｂに設けた筒状の封止部４を、前記容器体２の凹部６の前面部６ａに設けた開口部８に対向するようにして、前記蓋体１を前記容器体２の上部に回動自在として取り付け、前記蓋体１の封止部４を前記容器体２の開口部８に嵌脱自在として、前記封止部４によって前記開口部８を開閉自在としたものとしている。【選択図】図３
2008044631.tif 000002
【特許請求の範囲】
【請求項１】
蓋体（１）の両側面部（１ａ）に設けた一対の枢支部（３）を、容器体（２）の両側面（２ａ）に設けた一対の枢支部（７）に枢支すると共に、前記蓋体（１）の上部前面部（１ｂ）に設けた筒状の封止部（４）を、前記容器体（２）の凹部（６）の前面部（６ａ）に設けた開口部（８）に対向するようにして、前記蓋体（１）を前記容器体（２）の上部に回動自在として取り付け、前記蓋体（１）の封止部（４）を前記容器体（２）の開口部（８）に嵌脱自在として、前記封止部（４）によって前記開口部（８）を開閉自在としたことを特徴とする携帯容器。
【請求項２】
前記蓋体（１）の上面部（１ｃ）に指掛け部（５）を設けたことを特徴とする請求項１記載の携帯容器。
【請求項３】
前記封止部（４）および開口部（８）を、容器体（２）内に収容する粒状物（Ｐ）が円盤型の錠剤である場合には、この粒状物（Ｐ）の中央断面の略楕円形状より一回り大きくした略楕円形状としたことを特徴とする請求項１記載の携帯容器。
【請求項４】
前記蓋体（１）の枢支部（３）を貫通孔とし、前記容器体（２）の枢支部（７）を凸部としたことを特徴とする請求項１記載の携帯容器。
【請求項５】
前記容器体（２）を、一面が開口した合成樹脂製の偏平状ケース体（２Ａ）と、この偏平状ケース体（２Ａ）の一面の開口を閉鎖する合成樹脂製の平板状体（２Ｂ）を重ね合わせ、その周辺部を熱溶着したものとしたことを特徴とする請求項１記載の携帯容器。
【請求項６】
前記蓋体（１）の枢支部（３）を容器体（２）の枢支部（７）に枢支するときに、この容器体（２）の枢支部（７）を蓋体（１）の枢支部（３）に案内する傾斜溝（１０）を、前記枢支部（３）に至るようにして蓋体（１）の両側面部（１ａ）の内面に設けたことを特徴とする請求項１記載の携帯容器。
【発明の詳細な説明】
【技術分野】
【０００１】
この発明は、医薬品や栄養補助食品などの粒状物、特に錠剤を収容して携帯するのに適した携帯容器に関するものである。
【背景技術】
【０００２】
従来、医薬品や栄養補助食品などの錠剤等の粒状物は、ビン等の大容量の容器に収容して販売されることがある。しかし、このような大容量の容器を携帯するのは不便であるため、小分けして携帯するのに適した携帯容器が存在する。
【０００３】
このような携帯容器としては、例えば図８、９に示したように、上端に開口部２１を有する有底筒状の容器本体２２と、この容器本体２２上端の左右の一側にヒンジ機構２３を介して連結した蓋部２４とを備えたものとしている。そして、この蓋部２４は、ヒンジ機構２３を中心に俯仰揺動して、開口部２１を開放する開放状態と、開口部２１を封止する封止状態とに切り換え可能にしたものとしている。さらに、前記ヒンジ機構２３は、一対の平行ヒンジ２５、２５と、この両平行ヒンジ２５、２５間に配置した略Ｌ字状のＬ型ヒンジ２６とから構成したものとしている。このＬ型ヒンジ２６は、一端を容器本体２２に連結し、他端を蓋部２４の頂面２７の周縁よりも内方位置に連結したものとしている。また、前記容器本体２２を平面視で前後方向よりも左右に長く形成し、開口部２１の少なくとも前縁部２１ａと後縁部２１ｂとを、容器本体２２の外周縁２２ａに近接させて形成したものとしている（特許文献１）。
【０００４】
このように構成した従来の携帯容器は、蓋部２４を片手の指先で簡単に開閉操作することができ、しかも開口部２１を大きく開口して錠剤等の粒状物を容易に取り出すことができるという効果を有しているとしている。
【特許文献１】特開平８−３３７２６０号公報（第２頁、図１）
【発明の開示】
【発明が解決しようとする課題】
【０００５】
しかしながら、上記従来の携帯容器では、蓋部２４とヒンジ機構２３とは軟質合成樹脂で一体成形したものとし、蓋部２４を、ヒンジ機構２３を中心に俯仰揺動して、開口部２１を開放したり封止するものとしているため、この操作を長年に渡って行っていると軟質合成樹脂の薄肉部が弱り、ヒンジ機構２３の動作が悪くなったり、ヒンジ機構２３が切断されて動作しなくなったりするので、耐久性に劣るという問題点を有していた。
【０００６】
さらに、上記従来の携帯容器では、開口部２１を大きく開口して錠剤等の粒状物を容易に取り出すことができるとしているが、錠剤等の粒状物を小出しする場合には親指等で開口部２１の一部を閉塞するなどしなければならず、その操作が面倒であるという問題点を有していた。
【０００７】
そこで、この発明は、上記従来の問題点を解決するものであり、蓋部を片手の指先で簡単に開閉操作することができ、しかも耐久性に優れ、さらに錠剤等の粒状物の防湿性に優れると共に、これら粒状物を小出しするのが非常に簡単な携帯容器を提供することを目的としてなされたものである。
【課題を解決するための手段】
【０００８】
そのため、この発明の携帯容器は、蓋体１の両側面部１ａに設けた一対の枢支部３を、容器体２の両側面２ａに設けた一対の枢支部７に枢支すると共に、前記蓋体１の上部前面部１ｂに設けた筒状の封止部４を、前記容器体２の凹部６の前面部６ａに設けた開口部８に対向するようにして、前記蓋体１を前記容器体２の上部に回動自在として取り付け、前記蓋体１の封止部４を前記容器体２の開口部８に嵌脱自在として、前記封止部４によって前記開口部８を開閉自在としたものとしている。
【０００９】
そして、この発明の携帯容器は、前記蓋体１の上面部１ｃに指掛け部５を設けたものとしている。
【００１０】
さらに、この発明の携帯容器は、前記封止部４および開口部８を、容器体２内に収容する粒状物Ｐが円盤型の錠剤である場合には、この粒状物Ｐの中央断面の略楕円形状より一回り大きくした略楕円形状としている。
【００１１】
また、この発明の携帯容器は、前記蓋体１の枢支部３を貫通孔とし、前記容器体２の枢支部７を凸部としている。
【００１２】
さらに、この発明の携帯容器は、前記容器体２を、一面が開口した合成樹脂製の偏平状ケース体２Ａと、この偏平状ケース体２Ａの一面の開口を閉鎖する合成樹脂製の平板状体２Ｂを重ね合わせ、その周辺部を熱溶着したものとしている。
【００１３】
また、この発明の携帯容器は、前記蓋体１の枢支部３を容器体２の枢支部７に枢支するときに、この容器体２の枢支部７を蓋体１の枢支部３に案内する傾斜溝１０を、前記枢支部３に至るようにして蓋体１の両側面部１ａの内面に設けたものとしている。
【発明の効果】
【００１４】
この発明の携帯容器は、以上に述べたように構成されているので、蓋部を片手の指先で簡単に開閉操作することができ、しかも耐久性に優れ、さらに錠剤等の粒状物の防湿性に優れると共に、これら粒状物を小出しするのが非常に簡単なものとなった。
【発明を実施するための最良の形態】
【００１５】
以下、この発明の携帯容器の実施の形態を、図面に基づいて詳細に説明する。
【００１６】
この発明の携帯容器は、図１〜３に示したように、略倒Ｕ字形状の蓋体１と、平面視すると略長円形状をした偏平な容器体２とからなる。
【００１７】
前記蓋体１は、弾性変形可能な合成樹脂からなり、両側面部１ａの下部に一対の枢支部３を設け、上部前面部１ｂに筒状の封止部４を突設し、上面部１ｃに指掛け部５を設けたものとしている。枢支部３は、図示したものでは貫通孔としているが、凹部としてもよく、または凸部としてもよい。封止部４は、容器体２内に収容する粒状物Ｐの中央断面より大きくした円形状等とすることができるが、容器体２内に収容する粒状物Ｐが円盤型の錠剤である場合には、この粒状物Ｐの中央断面の略楕円形状より一回り大きくした略楕円形状とすることができる。指掛け部５は、掛けた指が滑り難い形状、例えば線状突起にするのが好ましい。
【００１８】
前記容器体２は、弾性変形可能または弾性変形不可能な合成樹脂からなり、上部の略中央に平面視すると截頭楕円形状をした凹部６を設け、この凹部６の下方の容器体２の両側面部２ａに一対の枢支部７を設け、凹部６の前面部６ａに前記蓋体１の封止部４と嵌脱自在とした開口部８を設けたものとしている。枢支部７は、図示したものでは凸部としているが、前記枢支部３を凸部とした場合には凹部としてもよい。開口部８は、前記蓋体１の封止部４に対応した形状としている。なお、前記蓋体１の封止部４には、この開口部８を密閉すると共に開口部８から容易に抜けないようにするために、その先端周囲にリブ４ａを設けたものとしている。
【００１９】
そして、この発明の携帯容器は、前記蓋体１の両側面部１ａに設けた一対の枢支部３を、前記容器体２の両側面２ａに設けた一対の枢支部７に枢支すると共に、前記蓋体１の上部前面部１ｂに設けた筒状の封止部４を、前記容器体２の凹部６の前面部６ａに設けた開口部８に対向するようにして、前記蓋体１を前記容器体２の上部に回動自在として取り付け、前記蓋体１の封止部４を前記容器体２の開口部８に嵌脱自在として、前記封止部４によって前記開口部８を開閉自在としたものとしている。なお、前記蓋体１の枢支部３を容器体２の枢支部７に枢支するには、蓋体１が弾性変形可能な合成樹脂からなるため、この蓋体１の両側面部１ａを外側に少し開くように力をかければ、その枢支操作を簡単に行うことができる。また、前記蓋体１の封止部４を前記容器体２の開口部８に嵌脱するにも、蓋体１が弾性変形可能な合成樹脂からなるため、その操作が簡単に行うことができると共に、嵌合時に両者を密接状態に保っておける。
【００２０】
さらに、この発明の携帯容器は、前記容器体２を、一面が開口した合成樹脂製の偏平状ケース体２Ａと、この偏平状ケース体２Ａの一面の開口を閉鎖する合成樹脂製の平板状体２Ｂを重ね合わせ、その周辺部を熱溶着したものとしている。これにより、ケース体２Ａと平板状体２Ｂの周辺部はシールされ密着される。なお、前記偏平状ケース体２Ａには、粒状物Ｐの容器体２内での移動や配置を制御して、粒状物Ｐが容器体２の開口部８へスムーズに送られるようにした仕切り９を設けたものとしている。
【００２１】
また、この発明の携帯容器は、前記蓋体１の枢支部３を容器体２の枢支部７に枢支するときに、この容器体２の枢支部７を蓋体１の枢支部３に案内する傾斜溝１０を、前記枢支部３に至るようにして蓋体１の両側面部１ａの内面に設けたものとしている。このようにすれば、蓋体１の両側面部１ａを外側にほんの少し開くように力をかければ、その枢支操作を簡単に行うことができる。
【００２２】
さらに、この発明の携帯容器は、前記蓋体１が容器体２の上部で回動するときに、蓋体１の上面部１ｃの裏面が摺動するようにした円弧状凹部１１を前記凹部６の後方に設けたものとしている。なお、前記円弧状凹部１１の後端は、蓋体１の回動を制限するストッパー部１２としている。
【００２３】
以上のように構成したこの発明の携帯容器を開閉操作するには、容器体２を片手で持ち、親指を蓋体１の上面部１ｃの当て前後（図１、２では左右）に動かすことにより、蓋体１を前後（図１、２では左右）に回動させればよい。
【００２４】
すなわち、容器体２を片手で持ち、親指を蓋体１の上面部１ｃの当て、この親指を後方に動かすことにより、蓋体１を後方に回動させれば、蓋体１の封止部４が容器体２の開口部８から抜け、この開口部８が開いた状態となる。そして、前記開口部８が開いた状態で、容器体２を水平にして、さらにその状態から傾けたり逆さにすれば、開口部８から錠剤等の粒状物Ｐを小出しすることができる。
【００２５】
また、前記親指を前方に動かすことにより、蓋体１を前方に回動させれば、蓋体１の封止部４が容器体２の開口部８に嵌まり、開いた状態の開口部８が閉まった状態となる。前記開口部８が閉まった状態では、容器体２内部は密閉された状態となるので、錠剤等の粒状物Ｐが湿気を帯び難くなり、防湿性に優れたものとなる。
【００２６】
したがって、この発明の携帯容器は、蓋体１を片手の指先で簡単に開閉操作することができるものとなり、その開閉機構も蓋体１の枢支部３を容器体２の枢支部７に枢支することにより、蓋体１が回動するようにしたものであるので、耐久性に優れたものとなる。
【図面の簡単な説明】
【００２７】
【図１】この発明の携帯容器の蓋体を閉じた状態の平面図である。
【図２】この発明の携帯容器の蓋体を開いた状態の平面図である。
【図３】この発明の携帯容器の分解斜視図である。
【図４】この発明の携帯容器の蓋体を閉じた状態の平面断面図である。
【図５】図４中のＡ−Ａ線によるこの発明の携帯容器の断面図である。
【図６】この発明の携帯容器の蓋体を開いた状態の平面断面図である。
【図７】図６中のＢ−Ｂ線によるこの発明の携帯容器の断面図である。
【図８】従来の携帯容器の蓋体を開いた状態の断面図である。
【図９】従来の携帯容器の蓋体を開いた状態の平面図である。
【符号の説明】
【００２８】
１  蓋体
１ａ  側面部
１ｂ  上部前面部
１ｃ  上面部
２  容器体
２ａ  側面部
２Ａ  偏平状ケース体
２Ｂ  平板状体
３  枢支部
４  封止部
５  指掛け部
６  凹部
６ａ  前面部
７  枢支部
８  開口部
１０  傾斜溝
Ｐ  粒状物
【図１】
2008044631.tif 000003
【図２】
2008044631.tif 000004
【図３】
2008044631.tif 000005
【図４】
2008044631.tif 000006
【図５】
2008044631.tif 000007
【図６】
2008044631.tif 000008
【図７】
2008044631.tif 000009
【図８】
2008044631.tif 000010
【図９】
2008044631.tif 000011